(57)【特許請求の範囲】
【請求項１】
照明装置本体と、
前記照明装置本体の下面側に配置され、主に下面側を照らす照明用光源と、
前記照明用光源を覆う透光カバーと、
前記透光カバーの少なくとも上面側周辺部を覆い、前記照明装置本体の側面部よりも外側に位置する外周部を有する飾り枠と、を有し、
該飾り枠は、上面側周辺部を覆い、前記照明用光源から出射され前記透光カバーを透過した光を受ける入射部と、前記入射部からの光を導光する導光部と、前記導光部で導光された光を下面側に出射する出射面を備える出射部と、前記導光部から前記出射部へ光を導光させるための方向変換部と、を備え、かつ前記入射部から前記方向変換部までは略同じ厚さであり、前記方向変換部から前記出射部の出射面に向かって徐々に厚さが厚くなることを特徴とする照明装置。
【請求項２】
請求項１に記載の照明装置において、
前記方向変換部は、前記出射面に対して略垂直となる屈折壁面を有することを特徴とする照明装置。
【発明の詳細な説明】
【技術分野】
【０００１】
本発明は、照明装置に関するものである。
【背景技術】
【０００２】
近年、照明装置として、主照明部のほかに、装飾性を高めるために補助的に付加される補助照明部を備えたものが知られている。例えば、引用文献１には、器具本体の下面側に配置した主照明以外に、器具本体の外周部に沿って間接光用光源収容部を介して配置された導光板に光を導入して間接光を得る照明器具が提案されている。この照明器具は、導光板の上面側に配置された光反射板により導光板上面から漏れた光を反射し導光板に戻して良好な間接光を得るように構成したものである。
【先行技術文献】
【特許文献】
【０００３】
【特許文献１】特開２００９−２１２００号公報
【発明の概要】
【発明が解決しようとする課題】
【０００４】
補助照明部として新たに光源を備えると、そのための制御等が必要となる。新たにＬＥＤを備えずに装飾性を高めることのできる照明装置の提供を目的とする。
【課題を解決するための手段】
【０００５】
本発明は、上記目的を解決するために、照明装置本体と、前記照明装置本体の下面側に配置され、主に下面側を照らす照明用光源と、前記照明用光源を覆う透光カバーと、前記透光カバーの少なくとも上面側周辺部を覆い、前記照明装置本体の側面部よりも外側に位置する外周部を有する飾り枠と、を有し、該飾り枠は、上面側周辺部を覆い、前記照明用光源から出射され前記透光カバーを透過した光を受ける入射部と、前記入射部からの光を導光する導光部と、前記導光部で導光された光を下面側に出射する出射面を備える出射部と、前記導光部から前記出射部へ光を導光させるための方向変換部と、を備え、かつ前記入射部から前記方向変換部までは略同じ厚さであり、前記方向変換部から前記出射部の出射面に向かって徐々に厚さが厚くなることを特徴とする。
【発明の効果】
【０００６】
本発明によれば、新たに光源を備えずに装飾性を高めることのできる照明装置を提供することができる。
【図面の簡単な説明】
【０００７】
【図１】照明装置１の全体斜視図である。
【図２】図１の照明装置１の一部分解斜視図である。
【図３】図１の照明装置１の分解斜視図である。
【図４】図１のＡ−Ａ´断面図である。
【図５】図４の拡大範囲Ａの拡大図である。
【発明を実施するための形態】
【０００８】
本発明の実施に係る形態について、以下、図面を用いて説明する。図１は照明装置１の全体斜視図である。図２は図１の照明装置１の一部分解斜視図である。図３は図１の照明装置１の分解斜視図である。図４は図１のＡ−Ａ´断面図である。図５は図４の拡大範囲Ａの拡大図である。
【０００９】
本例では以下、照明用光源として発光ダイオード（ＬＥＤ）を用いたＬＥＤ照明装置として説明するが、照明用光源はＬＥＤに限定されるものではない。また、本例のＬＥＤ照明装置は略円形状としたが、形状はこれに限定されるものではない。
【００１０】
ＬＥＤ照明装置は、例えばＬＥＤシーリングライトとして、家屋の天井面に設けられる引掛ローゼットや引掛シーリングなどの屋内配線器具（不図示）に係合する取付アダプタ（不図示）を介することによって外部電源に接続されると共に、天井面の所定位置に固定されて利用に供される。なお、以下の説明において、特に断らない限り、照明装置が天井面に取り付けられた状態を基準として、天井側を「上面側」と呼び、その反対側（床側）を「下面側」と呼ぶ。
【００１１】
図１に示すように、照明装置１は、照明装置本体２と、照明装置本体２に取り付けられる透光カバー３と、透光カバー３の外周側に取り付けられる飾り枠４と、を備える。
【００１２】
図２に示すように、照明装置１において、透光カバー３は、照明装置２から着脱自在である。
【００１３】
図３に示すように、照明装置１は、天井側に近い部材から、略円形状の本体ベース１５、センサ１４、絶縁板１３、電源基板１２、放熱板１１と、基板ケース１０と、受光基板９と、照明用のＬＥＤ基板８および反射シート７とＬＥＤカバー６と反射カバー５と、からなる照明装置本体２と、飾り枠４と、透光カバー３とを備えて構成されている。
【００１４】
照明装置本体２において、本体ベース１５は、例えば金属板などを略円形状に加工成形した部品である。本体ベース１５の中央には、略円形状の孔である器具取付部が設けられている。器具取付部には、不図示の取付アダプタが引掛け部を介して係合固定される。この取付アダプタは、天井側の屋内配線器具に係合固定される。これにより、本体ベース１５を含む照明装置１は、取付アダプタ、器具取付部および屋内配線器具をそれぞれ介して、天井面の所定位置に固定されるようになっている。
【００１５】
照明用のＬＥＤ基板７およびＬＥＤカバー６と反射シート７と、を照明用光源と呼ぶこととする。ＬＥＤカバー６は、外側カバー部６ａと内側カバー部６ｂとを備えている。
【００１６】
器具取付部の近傍には、不図示の給電接続部が設けられている。給電接続部は、不図示の電線を介して、取付アダプタと電源基板１２との間を電気的に接続している。これにより、照明装置１は、屋内配線器具、取付アダプタ、および給電接続部をそれぞれ介して給電を受けるようになっている。
【００１７】
絶縁板１３は、本体ベース１５と、放熱板１１との間に介在させて設けられている。本体ベース１５および放熱板１１は、いずれも金属製で、例えばプレコートメタル（ＰＣＭ）鋼板である。これに対し、絶縁板１３は、電気絶縁性および難燃性を有する例えばポリプロピレン（ＰＰ）などの樹脂材料を用いて成形されている。
【００１８】
電源基板１２および制御基板１１４は、絶縁板１３の外縁に突設された基板係止部を介して絶縁板１３に保持されている。絶縁板１３は、本体ベース１５にねじ止め固定されている。これにより、電源基板１２は、本体ベース１５および放熱板１１によって囲まれた放熱空間内に、電気絶縁性を維持した状態で係止固定されている。
【００１９】
放熱板１１は、電源基板１２、および、複数のＬＥＤが実装されたＬＥＤ基板８を冷却する役割を果たす。これら基板は、その作動時に発熱する。一般に、半導体素子であるＬＥＤは、熱に弱い性質がある。また、使用時には低電圧の大電流を流して高輝度発光を行うため、この発光に伴う発熱によってＬＥＤそれ自体や周囲の部材が劣化してゆく。かかる劣化を抑制して長寿命・高信頼性を実現するには、適切な放熱を行うことが求められる。
【００２０】
電源基板１２、およびＬＥＤ基板８が発熱すると、本体ベース１５および放熱板１１によって囲まれた放熱空間の雰囲気温度は上昇する。このとき、放熱空間の容積が小さいと、そこに収容される空気の量は少なくなる。その結果、空気の接触による放熱効果が低下してしまうため、放熱空間の容積はできるだけ大きい方が好ましい。また、熱伝導性を良好に維持する観点から、放熱板１１は、略円錐台形状で、継ぎ目なく一体に成形されることが好ましい。こうした放熱板１１は、金属製の薄板をプレス成形することによって製造される。
【００２１】
照明用光源において、ＬＥＤ基板８は、それぞれが共通の略扇形状の４枚の基板を含んで構成されてもよい。これら４枚の基板は、放熱板１１の所定位置に取り付けられた状態において、全体として略ドーナツ形状を形成するようになっている。
【００２２】
ＬＥＤ基板８には、複数のＬＥＤが半田付けにより実装されている。これらのＬＥＤは、作動時に光を放射すると共に発熱し、それら自体の温度が上昇する。ＬＥＤは、温度が高くなるにしたがって、その発光効率が低下してゆく。また、寿命も短くなってゆく。このため、温度上昇に見合った適切な放熱手段を別途設ける必要がある。
【００２３】
ＬＥＤカバー６は、複数のＬＥＤより発せれた光束を下面側（床側）へ導く機能、複数のＬＥＤに係る給電線への接触を物理的に妨げる機能、および、ＬＥＤ基板８を放熱板１１に対して密着させるように押し付ける機能を有している。
【００２４】
図２において、ＬＥＤ基板８にＬＥＤカバー６を取り付けた状態の一例を示す部分図である。図示のように、複数のＬＥＤは、対応する複数のドーム形状部を介して光を出射するように構成されている。本例では、一対のＬＥＤの組を、ひとつのドーム形状部内に収容しているが、ドーム形状部内に収容されるＬＥＤの数はこれに限定されない。一対のＬＥＤの組のうち、例えば、一方は白色系統の光束を放射する白色系統ＬＥＤであり、他方は暖色系統の光束を放射する暖色系統ＬＥＤである。これらのＬＥＤとしては、例えば、青色の光束を放射する青色ＬＥＤと黄色の蛍光体とを組み合わせることによって、青色発光と黄色発光とが合成されて白色光や暖色光（例えばオレンジ色など）を放射するものなどを適宜採用すればよい。
【００２５】
ＬＥＤカバー６は、例えばポリカーボネート（ＰＣ）やアクリル（ＰＭＭＡ）、ポリスチレン（ＰＳ）などの、透光性および電気絶縁性を有する樹脂を用いて一体成形される。この樹脂を用いた一体成形と、各ＬＥＤからの光をそれぞれ通過させる複数のドーム形状部とが相まって、ＬＥＤカバー６の剛性を確保すると共に、放熱板１１に対するＬＥＤ基板８の密着性を向上するようにしている。
【００２６】
放熱板１１とＬＥＤカバー６との間は、ＬＥＤ基板８を介在させて放熱板１１に対してＬＥＤカバー６をねじ止め固定する構成を採用している。これにより、放熱板１１に対するＬＥＤ基板８の密着性が高くなり、放熱性を向上することができる。このため、発光面の密度が均一で、かつ、ＬＥＤの発光効率に優れた照明装置１を実現することができる。さらに、ＬＥＤカバー６に対する適正な位置にＬＥＤの配置を矯正すると共に、ＬＥＤ基板８の反りや変形を軽減するといった効果もある。
【００２７】
透光カバー３は、放熱板１１の裾野部に固定された取付具によって、吊り下げ状態で係合保持される。具体的には、例えば、透光カバー３を周方向反時計回りに回転させることによって、透光カバー３に突設した図示しない係合部が外れるようになっている。透光カバー３は、例えばアクリル（ＰＭＭＡ）などの透光性樹脂を用いて一体成形される。
【００２８】
天板（図示なし）は、照明装置本体１１の少なくとも上面側周辺部を覆い照明装置本体１１の側面部よりも外側に位置する。
【００２９】
図５に示すように、センサ１４は、センサケース１４ｃと、センサ本体１４ｂと、センサケースに設けられるセンサ開口部１４ａと、から構成されている。
【００３０】
飾り枠４は、その端部から順に、拡大部４ａ、方向変換部４ｂ、導光部４ｃ、入射部４ｄ、立ち上がり部４ｅを備えている。また、拡大部４ａの端部（飾り枠４の端部）には出射面４ａ１を備えている。また、方向変換部４ｂには屈折壁面４ｂ１を備えている。飾り枠４は、透光カバー３の少なくとも上面側周辺部を覆い、照明装置本体２の側面部よりも外側に位置する部分を有する。飾り枠４において、透光カバー３の少なくとも上面側周辺部を覆うのは、立ち上がり部４ｅと、入射部４ｄとである。照明装置本体２の側面部よりも外側に位置する部分は、導光部４ｃと、方向変換部４ｂと、拡大部４ａとである。
【００３１】
立ち上がり部４ｅは、透光カバー３との接続のために設けられる部分である。立ち上がり部４ｅのネジ止めなどにより透光カバー３と接続される。
【００３２】
入射部４ｄは、透光カバー３の曲面に沿うような形状であり、照明用光源から出射され透光カバー３を透過した光を入射させるために設けられる部分である。
【００３３】
導光部４は、入射部４ｄから入射した光を導光するために設けられる部分である。導光部４ｃは、照明装置本体２の側面部より外側方向（略水平方向）に向かって略平面形状となっている。
【００３４】
方向変換部４ｄは、導光部４ｃで導光された光を出射部４ａに導光する部分である。導光部４ｃに対して、出射部４ａは略垂直となるように設けられており、方向変換部４ｂは、導光部４ｃを照明装置本体２よりも外側方向（側面方向）に向かって導光してきた光を出射部４ａに向けて略垂直となる向きに導光させる。特に、方向変換部４ｂにおける壁面である屈折壁面４ｂ１により、導光部４ｃの中を外側方向に向かって導光してきた光を出射部４ａに向けて略垂直となる向きに導光させることができる。屈折壁面４ｂ１は、導光部４ｃに対して略垂直となる面である。また、屈折壁面４ｂ１は、出射面４ａ１に対して略垂直となる面である。
【００３５】
出射部４ａは、方向変換部４ｂを導光した光を下面側に向けて出射する出射面４ａ１を備えている。
【００３６】
なお、飾り枠４において、立ち上がり部４ｅ、入射部４ｄ、導光部４ｃ、方向変換部４ｂは略同じ厚さであり、出射部４ａは、方向変換部４ｂから出射面４ａ１に向かって徐々に厚さが厚くなっている。
【００３７】
上記の飾り枠２を備えることにより、照明装置１は、透光カバー１を透過する照明用光源の光による略円形の主発光部分と、飾り枠２の出射面４ａ１から出射する光による略環状の副発光部分と、から発光することができ、新たに光源を備えずに装飾性を高めることのできる照明装置を提供することができる。
【００３８】
なお、主照明用光源による照明は、上述のように、複数のＬＥＤの発光色および蛍光体を選択し、その両者の組み合わせで所望の色温度を得るようにされている。別の実施の形態として、主照明用光源のＬＥＤも、それぞれＲＧＢの３種のＬＥＤを含むものとし、その３種のＬＥＤの出力を調整することで、上述の補助照明用光源と同様な色の照明光を得るようにしてもよい。
【符号の説明】
【００３９】
１      照明装置
２      照明装置本体
３      透光カバー
４      飾り枠
４ａ    出射部
４ａ１  出射面
４ｂ    方向変換部
４ｂ１  屈折壁面
４ｃ    導光部
４ｄ    入射部
４ｅ    立ち上がり部
５      反射カバー
６      ＬＥＤカバー
６ａ    外側カバー部
６ｂ    内側カバー部
７      反射シート
８      ＬＥＤ基板
９      受光基板
１０    基板ケース
１１    放熱板
１２    電源基板
１３    絶縁板
１４    センサ
１４ａ  センサ開口部
１４ｂ  センサ本体
１４ｃ  センサケース
１５  本体ベース
Ａ    拡大範囲
【図１】
0005948293.tif 000002
【図２】
0005948293.tif 000003
【図３】
0005948293.tif 000004
【図４】
0005948293.tif 000005
【図５】
0005948293.tif 000006